(57)【要約】【課題】  処理液により処理され、更に洗浄液により洗浄された後の基板に付着した液を吸引ノズルで吸引して乾燥させること【解決手段】  基板の表面に所定の処理液を供給して当該基板に対し所定の処理を行う基板処理装置において、処理液により処理され、更に洗浄液により洗浄された基板を水平に保持し、負圧にされた吸引口を有する吸引ノズルを基板の一端から他端に亘って移動させることにより基板に付着した液を吸引除去する。このとき前記吸引ノズルの移動範囲において基板の外縁から外にはみ出した前記吸引口の部位と対向するように吸引抵抗体を配置する構成とする。この場合、基板の外にはみ出した吸引口の部位に吸引抵抗を持たせたことにより、基板の表面と対向する吸引口の部位の吸引作用が弱くなるのを抑えることができるので、付着した液を充分に除去して当該基板を乾燥させることができる。【選択図】      図１
2005340381.tif 000002
【特許請求の範囲】
【請求項１】
基板の表面に所定の処理液を供給して当該基板に対し所定の処理を行う基板処理装置において、
基板を水平に保持する基板保持部と、
この基板保持部に保持され、前記処理液により所定の処理がされた後の基板の表面に洗浄液を供給する洗浄液ノズルと、
基板の有効領域の幅と同じか又はこの幅よりも長い吸引口を有し、基板の表面にある洗浄液を当該吸引口から吸引する吸引ノズルと、
この吸引ノズルを基板の一端から他端に亘って移動させる移動機構と、
前記吸引ノズルの移動範囲において基板の外縁から外にはみ出した前記吸引口の部位と対向するように設けられた吸引抵抗体と、を備えたことを特徴とする基板処理装置。
【請求項２】
前記吸引抵抗体は、基板の外周面を所定の隙間をあけて囲むように全周に亘って設けられていることを特徴とする請求項１記載の基板処理装置。
【請求項３】
前記吸引抵抗体は、基板の表面からこぼれ落ちる液を吸引するための吸引口が内周面に沿って設けられていることを特徴とする請求項２記載の基板処理装置。
【請求項４】
前記吸引抵抗体は、基板の外周面に気体を供給する気体噴射口が内周面に沿って設けられていることを特徴とする請求項２記載の基板処理装置。
【請求項５】
前記吸引抵抗体は、基板の周方向に沿って複数に分割され、各分割部を基板に対して押圧して基板の位置決めを行うための押圧機構を備えたことを特徴とする請求項１ないし４のいずれか一つに記載の基板処理装置。
【請求項６】
前記吸引抵抗体は、基板の中心線の延長線と、この延長線と基板の中心にて交差する延長線とにより区画された部位に分割されたことを特徴とする請求項５記載の基板処理装置。
【請求項７】
基板の表面に所定の処理液を供給して当該基板に対し所定の処理を行う基板処理方法において、
基板を基板保持部に水平に保持する工程と、
この基板の表面に処理液を供給して所定の処理を行う工程と、
この所定の処理をした後の基板の表面に洗浄液を供給して洗浄を行う工程と、
洗浄後の基板の表面にある洗浄液を吸引ノズルの吸引口から吸引すると共に、この吸引ノズルを基板の一端から他端に亘って移動させる工程と、
この吸引工程と共に基板の外縁から外にはみ出した前記吸引口の部位に吸引抵抗体を対向させる工程と、を含むことを特徴とする基板処理方法。
【請求項８】
基板の表面に処理液を供給する前に基板の外周面を所定の隙間をあけて囲むように吸引抵抗体を配置する工程と、前記処理液を供給する工程及び前記洗浄液を供給する工程において基板の表面からこぼれ落ちる液を吸引抵抗体の内周面に形成した吸引口から吸引する工程と、を含むことを特徴とする請求項７記載の基板処理方法。
【請求項９】
基板の表面に処理液を供給する前に基板の外周面を所定の隙間をあけて囲むように吸引抵抗体を配置する工程と、前記処理液を供給する工程及び前記洗浄液を供給する工程において吸引抵抗体の内周面に形成した気体噴射口から基板の外周面に気体を供給する工程と、を含むことを特徴とする請求項７記載の基板処理方法。
【請求項１０】
前記基板の外周面を囲むように吸引抵抗体を配置する工程は、基板の周方向に分割された吸引抵抗体の内周面で基板の外周面を周囲から押して基板の位置決めを行う工程を含むことを特徴とする請求項８又は９記載の基板処理方法。  
【発明の詳細な説明】
【技術分野】
【０００１】
本発明は、表面に例えばレジストなどの塗布液を塗布して露光した後の基板に対して、例えば現像液などの処理液を供給して所定の処理をする基板処理装置及び基板処理方法に関する。
【背景技術】
【０００２】
従来、半導体製造工程の一つであるフォトレジスト工程においては、例えば半導体ウエハ（以下、「ウエハ」という）の表面に薄膜状に塗布液であるレジストを塗布し、露光により所定の回路パターンを転写した後、処理液である現像液を供給して現像することにより当該ウエハの表面にマスクパターンを形成している。このような処理は、一般にレジストの塗布・現像を行う塗布・現像装置に、露光装置を接続したシステムを用いて行われる。
【０００３】
従来の現像処理は以下のように行われる（例えば、特許文献１参照。）。先ず、例えば図１３（ａ）に示すように、ウエハＷを鉛直軸回りに回転可能なスピンチャック１に水平姿勢にウエハＷを保持した状態にて、例えばウエハＷの直径と同じ長さの直線状の吐出口を備えた現像液ノズル１１を表面から僅かに浮かせてスライド移動（スキャン）させながら現像液Ｄを供給し、ウエハＷを現像する。続いて、例えば図１３（ｂ）に示すように、ウエハＷを鉛直軸回りに回転させると共に、上側リンスノズル１２からウエハＷの表面中央部にリンス液Ｒ例えば純水を供給し、更に下側リンスノズル１３からウエハＷの裏面側周縁部にリンス液Ｒを夫々供給する。これらリンス液Ｒは、回転するウエハＷの遠心力の作用によりウエハＷの表面全体及び裏面側周縁部の全周に亘って夫々広がり、これによりウエハＷは洗浄される。更に続いて、例えば図１３（ｃ）に示すように、ウエハＷを高速回転させてリンス液Ｒを振り飛ばすスピン乾燥が行われる。
【０００４】
ところで、近年、ウエハＷは大型化しており、上述のようにウエハＷを回転させて遠心力の作用によりリンス液ＲをウエハＷの表面に広げ、更にスピン乾燥を行うようにすると、中央部と周縁部との間で回転速度に差が生じてしまい洗浄及び乾燥が面内で不均一となる場合がある。更にウエハＷを高速回転させるための回動機構が大型化してしまい、例えばユニット化した現像装置を積層して塗布・現像装置に組み込むのが困難になる場合がある。そのためウエハＷをスピンさせないで洗浄及び乾燥する手法の検討が進められている。
【０００５】
非回転でウエハＷの表面上にある液を除去する手法の一つとして、ウエハＷの表面にある液を吸引除去する手法が知られている。具体的には、例えば図１４に示すように、ウエハＷの直径と同じ長さの直線状の吸引口１３ａを備えた吸引ノズル１３をウエハＷの表面から僅かに浮かせた位置に配置し、この吸引口１３ａを負圧状態にすると共にウエハＷの一端から他端に向かって吸引ノズル１３をスライド移動させる。これによりウエハＷの表面にある現像液が吸引口１３ａから吸引される（例えば、特許文献２参照。）。
【０００６】
【特許文献１】特開２００３−７７８２０号公報（段落００２４〜００２６、図６）
【特許文献２】特開平８−４５８３２号公報（段落００６７、図１３）
【発明の開示】
【発明が解決しようとする課題】
【０００７】
しかしながら上述の吸引乾燥には以下のような問題があった。即ち、ウエハＷは表面が円形であるため、吸引ノズル１３をスキャンさせるとその一端側及び他端側ではウエハＷの外側にはみ出す吸引口１３ａの部位が長くなる。外側にはみ出した吐出口１３ａの部位はその内側にあるウエハＷと対向する吐出口１３ａの部位に比べて吸引抵抗が少ないため、このはみ出した吐出口１３ａからの周辺雰囲気の吸引が盛んになり、そのためウエハＷの表面と対向する吐出口１３ａの部位のリンス液Ｒを吸引する作用が弱くなってしまう場合がある。その結果、リンス液の除去が不充分となり、ウエハＷが乾燥不良となる場合がある。乾燥が充分に行われなかった場合、ウエハＷ搬送時にリンス液Ｒがこぼれて装置が浸水してしまったり、次に行われる処理に影響を及ぼす懸念がある。
【０００８】
本発明はこのような事情の基づいてなされたものであり、その目的は、処理液により処理され、更に洗浄液により洗浄された後の基板に付着した液を吸引ノズルで吸引して乾燥させることのできる基板処理装置及びその方法を提供することにある。
【課題を解決するための手段】
【０００９】
本発明の基板処理装置は、基板の表面に所定の処理液を供給して当該基板に対し所定の処理を行う基板処理装置において、
基板を水平に保持する基板保持部と、
この基板保持部に保持され、前記処理液により所定の処理がされた後の基板の表面に洗浄液を供給する洗浄液ノズルと、
基板の有効領域の幅と同じか又はこの幅よりも長い吸引口を有し、基板の表面にある洗浄液を当該吸引口から吸引する吸引ノズルと、
この吸引ノズルを基板の一端から他端に亘って移動させる移動機構と、
前記吸引ノズルの移動範囲において基板の外縁から外にはみ出した前記吸引口の部位と対向するように設けられた吸引抵抗体と、を備えたことを特徴とする。
【００１０】
前記吸引抵抗体は基板の外周面を所定の隙間をあけて囲むように全周に亘って設けられた構成であってもよい。この場合、更に基板の表面からこぼれ落ちる液を吸引するための吸引口が内周面に沿って設けられた構成であってもよく、あるいは基板の外周面に気体を供給する気体噴射口が内周面に沿って設けられた構成であってもよい。更に前記吸引抵抗体は、基板の周方向に沿って複数に分割され、各分割部を基板に対して押圧して基板の位置決めを行うための押圧機構を備えた構成であってもよい。この場合、吸引抵抗体は基板の中心線の延長線と、この延長線と基板の中心にて交差する延長線とにより区画された部位に分割された構成であってもよい。
【００１１】
本発明の基板処理方法は、基板の表面に所定の処理液を供給して当該基板に対し所定の処理を行う基板処理方法において、
基板を基板保持部に水平に保持する工程と、
この基板の表面に処理液を供給して所定の処理を行う工程と、
この所定の処理をした後の基板の表面に洗浄液を供給して洗浄を行う工程と、
洗浄後の基板の表面にある洗浄液を吸引ノズルの吸引口から吸引すると共に、この吸引ノズルを基板の一端から他端に亘って移動させる工程と、
この吸引工程と共に基板の外縁から外にはみ出した前記吸引口の部位に吸引抵抗体を対向させる工程と、を含むことを特徴とする。
【００１２】
前記基板の表面に処理液を供給する工程の前に基板の外周面を所定の隙間をあけて囲むように吸引抵抗体を配置する工程と、前記処理液を供給する工程及び前記洗浄液を供給する工程において基板の表面からこぼれ落ちる液を吸引抵抗体の内周面に形成した吸引口から吸引する工程と、を含むようにしてもよい。この場合、吸引に代えて気体を供給するようにしてもよい。また前記基板の外周面を囲むように吸引抵抗体を配置する工程は、基板の周方向に分割された吸引抵抗体の内周面で基板の外周面を周囲から押して基板の位置決めを行う工程を含むようにしてもよい。
【発明の効果】
【００１３】
本発明によれば、吸引ノズルを基板の一端から他端に亘って移動させて基板の表面にある洗浄液を吸引除去するにあたり、基板の外縁から外にはみ出した吸引ノズルの吐出口の部位と対向するように吸引抵抗体を設けた構成とすることにより、例えば基板が円形であって、その一端側及び他端側の上方を吸引ノズルが通過する際に外にはみ出す吐出口の部位が長くなったとしても、基板の表面と対向する吐出口部位の吸引作用が弱まることが抑制されるので、基板の表面に付着した洗浄液を充分に除去して乾燥させることができる。
【発明を実施するための最良の形態】
【００１４】
本発明の実施の形態に係る基板処理装置について図１及び図２を参照しながら以下に説明するが、ここでは処理液の一つである現像液を基板に供給して現像する現像装置を一例に挙げて説明する。図中２は基板例えばウエハＷを水平姿勢に保持するための基板保持部であるバキュームチャックである。このバキュームチャック２の表面にはウエハＷの裏面側中央部を吸引吸着するための図示しないバキューム孔が設けられている。このバキューム孔は、図示は省略するが、吸引路を介して吸引手段例えば吸引ポンプと接続されており、当該吸引ポンプによりバキューム孔を負圧にすることによりバキュームチャック２の表面にウエハＷの裏面が吸引吸着されるように構成されている。
【００１５】
前記バキュームチャック２の表面に保持されたウエハＷの側方及び下方を囲むようにして液受け部をなす矩形のカップ体２１が設けられており、このカップ体２１の底部にはウエハＷ表面からこぼれ落ちた現像液やリンス液などのドレインを排出するための排出口２２が設けられている。またウエハＷの裏面側周縁部と隙間をあけて対向する裏面洗浄部２３が全周に亘って設けられており、この裏面洗浄部２３の上端面にはウエハＷの裏面側周縁部にリンス液例えば純水を供給するための吐出口２４が全周に亘って形成され、更に当該吐出口２４の例えば外側にはウエハＷに供給されたリンス液を吸引するための吸引口２５が全周に亘って形成されている。吐出口２４は供給路例えば配管を介して図示しないリンス液の供給源と接続されており、また吸引口２５は吸引路例えば配管を介して図示しない吸引手段と接続されている。なお、図１では作図の便宜上、吐出口２４及び吸引口２５の記載を省略してある。
【００１６】
また前記裏面洗浄部２３の内側にはカップ体２１の底部に形成された貫通孔を介して昇降自在に設けられ、例えば装置の外部から進入してくるウエハ搬送手段との間でウエハＷの受け渡しをするための例えば３本の基板支持ピン２６が設けられている。各基板支持ピン２６は共通のベース部材２７により連結されており、更にベース部材２７は昇降部２８と接続されている。そして昇降部２８の昇降作用により基板支持ピン２６はウエハＷを裏面側から支持した状態で昇降可能なように構成されている。
【００１７】
またバキュームチャック２に保持されたウエハＷの表面に現像液を供給するための、ウエハＷの有効領域（デバイス形成領域）の幅と同じか又はこの幅よりも長い例えば直線状の吐出口３０を備えた進退自在且つ昇降自在な現像液ノズル３がウエハＷの表面と対向して設けられている。前記直線状の吐出口３０はスリット状に形成することもあり、また複数の細径の吐出孔をノズルの長手方向に並べて形成することもある。この現像液ノズル３は供給路３１例えば配管を介して現像液の供給源３２と接続されており、その途中には図示しない流量調整部が設けられている。現像液ノズル３について吐出口３０がスリット状に形成された例を図３を用いて詳しく説明ずると、吐出口３０は内部に形成された液貯留部３０Ａと連通しており、その途中には長さ方向において均一に現像液を吐出するための干渉棒３０Ｂが内壁面と隙間をあけて設けられている。更に液貯留部３０Ａには供給口３０Ｃと連通しており、この供給口３０Ｃに前記供給路３１が接続されている。
【００１８】
更に、例えば現像後のウエハＷの表面に洗浄液であるリンス液例えば純水を供給するためのリンスノズル３３がウエハＷの表面と対向する位置まで進退自在且つ昇降自在に設けられている。このリンスノズル３３は例えば上記現像液ノズル３と同じ形状に構成されており、ウエハＷの有効領域の幅と同じか又はこの幅よりも長い例えば直線状の吐出口を有している。更にリンスノズル３３は供給路３４例えば配管を介してリンス液の供給源３５と接続されており、その途中には図示しない流量調整部が設けられている。
【００１９】
また更に、前記リンスノズル３３によりウエハＷの表面に供給されたリンス液を吸引除去することによりウエハＷを乾燥させるための吸引ノズル３６がウエハＷの表面と対向する位置まで進退自在且つ昇降自在に設けられている。この吸引ノズル３６は、例えば上記現像液ノズル３と同じ形状に構成されており、ウエハＷの有効領域の幅と同じか、又はこの幅よりも長い例えば直線状の吸引口３６ａを有している。但し、必ずしも現像液ノズル３と同じ形状にする必要はなく、例えば進行方向に向かって湾曲する馬蹄形又はＶ字に吸引口３６ａを形成してもよく、あるいは複数例えば２本の吸引口３６ａを前後方向に並べるようにしてもよい。更には、ノズルの長さ方向において吐出口３６ａを例えば３分割し、これら分割した吐出口３６ａのうち中央部にある吐出口３６ａを両端部側にある吐出口３６ａよりも前方側に配置するようにしてもよい。吸引ノズル３６は吸引路３７例えば配管を介して吸引手段３８例えば吸引ポンプやエジェクタなどと接続されており、その途中には図示しない吸引圧調整部が設けられている。
【００２０】
上述の現像液ノズル３、リンスノズル３３及び吸引ノズル３６は、ノズルアーム４，４１，４２により各々独立して支持されており、このノズルアーム４，４１，４２の基端側は移動基体４３，４４，４５と夫々接続されている（図１参照）。更に、各々の移動基体４３，４４，４５は図示しない昇降機構を備えており、これにより現像液ノズル３，リンスノズル３３及び吸引ノズル３６を各々独立して昇降可能なように構成されている。また移動基体４３，４４，４５は、バキュームチャック２上のウエハＷのＹ方向に伸びる直径と並んで伸びるガイドレール４６により支持されており、図示しない駆動機構により各々独立してスライド移動可能なように構成されている。なお、図１では一本のガイドレール４６に移動基体４３，４４，４５を支持した構成を記載しているが、各々の移動基体４３，４４，４５に対して専用のガイドレールを設けた構成とすることもある。
【００２１】
バキュームチャック２に保持されたウエハＷの外周面と例えば０．１〜１ｍｍの範囲内で選択された所定の隙間を介して対向して設けられ、例えばその幅及び長さが前記吸引ノズル３６の吐出口の長さと同じか、又はそれ以上の長さに亘って形成された外形四角状の面状体をなす吸引抵抗体である吸引抵抗板５が設けられている。即ち、詳しくは後述するが、乾燥工程時に吸引動作を行う吸引ノズル３６がウエハＷの一端から他端に向かってスライド移動する際に、少なくともその移動範囲内においてウエハＷの外縁から外にはみ出した吸引口３６ａの部位と対向するように吸引抵抗板５が設けられた構成である。なお、吸引抵抗板５の表面はウエハＷの表面と同じ高さか又はウエハＷの表面よりも例えば−０．５〜１．０ｍｍの範囲内で異なる高さ位置に設定されている。裏面の高さ位置は特に限定されることはないが、一例として本例ではウエハＷの裏面と同じ高さに設定している。
【００２２】
前記吸引抵抗板５について図４及び図５を用いて更に詳しく説明すると、少なくとも各々がウエハＷの外周面と対向する内周面を有するように周方向に沿って表面が分割されており、更にこれら分割部は前記所定の隙間を介してウエハＷと対向する位置と、外側に開いた位置との間で各々が独立して進退自在なように構成されている。本例では、例えばウエハＷの一の直径例えばＸ方向に伸びる直径の延長線と、この延長線とウエハＷの中心で交差する例えばＹ方向に伸びる延長線とにより区画された部位に４分割されることにより、即ち周方向に等分に４分割されることにより分割部５Ａ〜５Ｄが形成されている。各分割部５Ａ〜５Ｄの各々は、例えば垂立する支持部材５１Ａ〜５１Ｄの上端部にその裏面側が支持されており、この支持部材５１Ａ〜５１Ｄの下端部は移動基体５２Ａ〜５２Ｄにより夫々支持されている。更に移動基体５２Ａ〜５２ＤはウエハＷの中心に向かって伸びる例えば放射線状に配設されたガイドレール５３Ａ〜５３Ｄに支持されており、図示しない例えばエアシリンダ等の駆動機構により移動基体５２Ａ〜５２Ｄと共に各分割部５Ａ〜５ＤがウエハＷに向かって進退自在なように構成されている。即ち、分割部５Ａ〜５Ｄを移動させる部位は、分割部５Ａ〜５ＤがウエハＷを押圧するための押圧機構を構成している。
【００２３】
更に、ウエハＷの外周面と対向するその内周面には、例えば下部側が０．５ｍｍ内側に突出する段部又は外方下方側に傾斜する傾斜部が形成されており、この段部（又は傾斜部）の表面の例えば水平面（傾斜面）又は直立面のいずれか一方あるいは両方の表面にはウエハＷの表面からこぼれ落ちる液例えば処理液及び洗浄液を吸引するための、内側上方に傾斜する例えば細径の吸引孔をなす吸引口５４が当該内周面に沿って間隔をおいて形成されている（なお、図５では段部を形成した例を記載してある）。また段部を形成しないで上端面から下端面に渡って外方下方側に傾斜した傾斜面とすることもある。前記したウエハＷの外周縁との間の所定の隙間とは、この下部側突出部又は傾斜部の先端部とウエハＷの外周面との間の隙間を意味する。なお、この吸引口５４は内周面に沿ってスリット状に形成することもある。これら分割部５Ａ〜５Ｄの各々に形成された吸引口５４は各分割部５Ａ〜５Ｄの内部に形成された流体貯留部５５に連通し、更に流体貯留部５５は吸引路５６例えば配管を介して吸引手段５７例えば吸引ポンプ又はエジェクタと接続されている。
作図の便宜上、分割部５Ｂ〜５Ｄの流体貯留部５５、吸引路５６及び吸引手段５７の記載は省略してある。
【００２４】
上記現像装置は図示しない制御部を備えており、この制御部は上述のバキューム孔を負圧にするための吸引ポンプ、昇降部２８、現像液及びリンス液の流量調整部、吸引ノズル３６の吸引圧調整部、移動基体４３，４４，４５，５２Ａ〜５２Ｄなどの動作を制御する機能を有している。
【００２５】
続いて、例えば表面にレジストを塗布し、露光した後の基板例えばウエハＷを上述の現像装置を用いて現像する工程について図６を参照しながら説明する。先ず、吸引抵抗板５の各分割部５Ａ〜５Ｄが外側に開いた状態にあり、また各ノズル３，３３，３６がカップ体２１の外側の待機位置にある状態にて、図示しないウエハ搬送手段により図示しないウエハ搬送口を介して装置内にウエハＷが搬入され、バキュームチャック２の上方位置に案内される。次いで、ウエハ搬送手段と基板支持ピン２６との協働作用によりウエハＷはバキュームチャック２に受け渡され、水平姿勢に載置される。
【００２６】
続いて、例えば図６（ａ）に示すように、各分割部５Ａ〜５ＤがウエハＷの外周面に向かって前進し、このウエハＷの外周面に対して既述した所定の隙間をあけて対向する位置に配置される。より詳しくは、例えば基板支持ピン２６がウエハＷを下降させる際に例えばエアベアリング現象等が生じてウエハＷに横方向の位置ずれが起きてしまった場合など、受け渡しの際にバキュームチャック２表面の予定とする載置位置にウエハＷが置かれなかったときには、ウエハＷは前進する分割部５Ａ〜５Ｄの内周面に押されて予定とする載置位置まで位置寄せされ、そして各分割部５Ａ〜５Ｄを所定の位置まで前進させた後、例えば０．５〜１ｍｍ後退させることによりウエハＷとの間に前記所定の隙間を形成する。その後、バキュームチャック２のバキューム孔が負圧にされてウエハＷはバキュームチャック２の表面に吸引吸着される。
【００２７】
しかる後、ウエハＷの表面から例えば０．５〜５ｍｍ浮かせた位置であって且つウエハＷの一端縁の僅かに外側の吐出開始位置に現像液ノズル３が配置される。次いで吸引手段５７の吸引動作を開始して吸引口５４を負圧状態にすると共に、例えば図６（ｂ）に示すように、吐出口３０から現像液Ｄを吐出すると共に現像液ノズル３をウエハＷの一端から他端に向かってスライド移動（スキャン）させる。これによりウエハＷの表面に現像液Ｄの液膜を形成する一方で、ウエハＷの表面からこぼれ落ちる現像液Ｄ、より詳しくは例えば毛細管現象によりウエハＷの外周面と吸引抵抗板５の上部側内周面との隙間内に浸入してくる現像液Ｄを吸引口５４から吸引する。更に続いて、吸引口５４の吸引動作を停止し、この現像液Ｄの液膜が形成された状態を例えば所定の時間保持して静止現像が行われることにより、レジストの一部が現像液Ｄに溶解し、残ったレジストによりマスクパターンが形成される。例えば反応性の良いレジストの場合など、レジストの種類によっては静止現像を行わないこともある。なお、ウエハＷの他端を通過した現像液ノズル３は現像液Ｄの吐出を停止すると共に更に前方側に移動してから待機する。
【００２８】
続いてリンスノズル３３が既述の吐出開始位置に配置され、吸引口５４の吸引動作を開始すると共に、例えば図６（ｃ）に示すように、その吐出口からリンス液Ｒを吐出すると共にリンスノズル３３をウエハＷの一端から他端に向かってスキャンさせる。これによりウエハＷ及び吸引抵抗板５の表面に付着した現像液Ｄがリンス液Ｒに置換されて洗浄される一方で、現像液Ｄと同様に例えば毛細管現象によりウエハＷの外周面と吸引抵抗板５の上部側内周面との隙間内に浸入してくるリンス液Ｒを吸引口５４から吸引する。なお、１回のスキャンでは現像液Ｄの置換が充分でない場合など、その洗浄具合によってはリンスノズル３３をウエハＷの他端から一端に向かってスキャンさせるようにしてもよく、更にはこの往復動作を複数回例えば２〜３回繰り返すようにしてもよい。しかる後、リンスノズル３３はリンス液Ｒの吐出を停止すると共にウエハＷの他端側の更に前方に移動して待機する。
【００２９】
また上記リンスノズル３３による洗浄と共に、あるいはリンスノズル３３による洗浄後に、吐出口２４からウエハＷの裏面側周縁部に向かってリンス液Ｒを吐出すると共に、ウエハＷに供給されたリンス液Ｒを吸引口２５から吸引する。これによりウエハＷの裏面側周縁部が洗浄される。このときにも例えば表面張力（例えば毛細管現象など）の作用によりウエハＷと吸引抵抗板５との隙間に浸入するリンス液Ｒが吸引口５４から吸引される。
【００３０】
続いて、ウエハＷの表面から例えば０．０５〜１ｍｍ浮かせた位置であって且つウエハＷの一端縁の僅かに外側の吸引開始位置に吸引ノズル３６が配置される。そして吸引手段３８により吸引ノズル３６の吸引口３６ａを負圧状態にすると共に、例えば図６（ｄ）及び図７に示すように、当該吸引ノズル３６をウエハＷの一端から他端に向かってスキャンさせる。ウエハＷ及び吸引抵抗板５の表面に付着しているリンス液Ｒは当該吸引ノズル３６の吸引口３６ａから吸引され、これによりウエハＷは乾燥される。なお、１回のスキャンでは吸引が充分でない場合など、その吸引具合によっては吸引ノズル３６をウエハＷの他端から一端に向かってスキャンさせるようにしてもよく、更にはこの往復動作を複数回例えば２〜３回繰り返すようにしてもよい。しかる後、吸引ノズル３６は吸引動作を停止すると共にウエハＷの他端側の更に前方に移動して待機する。
【００３１】
しかる後、吸引抵抗板５の各分割部５Ａ〜５Ｄが後退して開いた状態にされ、更にバキュームチャック２の吸引動作が停止された後、基板支持ピン２６を介してバキュームチャック２からウエハ搬送手段にウエハＷが受け渡され、ウエハＷは装置の外部に搬出される。
【００３２】
上述の実施の形態によれば、例えばウエハＷの一端から他端に亘って吸引ノズル３６をスライド移動させてウエハＷ表面の洗浄液であるリンス液を吸引除去するにあたり、ウエハＷの外縁から外にはみ出した吐出口３６ａの部位と対向するように吸引抵抗板５を設けた構成とすることにより、この外にはみ出した吐出口３６ａの部位に吸引抵抗を持たせて内側の部位の吸引作用が弱くなるのを抑えることができる。このためウエハＷの表面に付着したリンス液を充分に吸引除去することができ、その結果として、ウエハＷを回転させて液を振り切る作用に頼らなくとも充分にウエハＷを乾燥させることができる。なお、吸引抵抗板５の表面をウエハＷの表面と同じ高さに設定する構成とすれば、吸引ノズル３６の吸引口３６ａをウエハＷの表面に接近させることができるので、リンス液をより確実に除去することもできる。
【００３３】
更に上述の実施の形態によれば、ウエハＷの外周面を所定の隙間を介して囲むように吸引抵抗板５を配置すると共に、ウエハＷに現像液及びリンス液を供給する際に吸引動作を行う吸引口５４をその内周面に設けた構成とすることにより、吸引抵抗板５とウエハＷの隙間内に現像液及びリンス液が広がるのを抑えることができる。このため、先ずウエハＷの側周面に現像液が付着しないので当該側周面を洗浄する工程及び洗浄手段を別途設ける必要性が少なく、更にリンス液が付着しないのでウエハＷの側周面を乾燥させる工程及び乾燥手段を別途設ける必要性が少ない。即ち、吸引ノズル３６を用いて表面にあるリンス液を除去すればウエハＷを乾燥させることができるので、乾燥処理が簡単であり且つ短時間で乾燥させることができる。また更にウエハＷの側周面を別途洗浄しなくてよい分において、洗浄廃液の量を少なくすることができる点で得策である。なお、ウエハＷと吸引抵抗板５との隙間が広すぎると当該隙間内に浸入する液の量が多くなり充分に吸引できなくなる場合があるので、より確実に現像液及びリンス液の浸入を抑制するためには既述のように０．１〜１．０ｍｍの範囲内に隙間を設定するのが好ましい。
【００３４】
更に上述の実施の形態によれば、分割された吸引抵抗板５をウエハＷに向かって進退自在な構成とすることにより、バキュームチャック２に置かれたウエハＷを周囲から押して所定の載置位置に位置寄せすることができる。即ち、ウエハＷと吸引抵抗板５とを既述した所定の位置関係に設定することができる。このためウエハＷに対し全周に亘って液の回り込みを防止（汚染防止）することができるので、ウエハＷの側周面の均一な洗浄及び乾燥を行うことができる。
【００３５】
本発明においては、吸引抵抗板５の内周面に吸引口５４を形成した構成に限られず、例えば当該吸引口５４と同じ形状で形成された気体噴射口をその内周面に沿って形成するようにしてもよい。この場合、現像液及びリンス液をウエハＷに供給すると共に、当該気体噴射口から気体例えば空気又は窒素を噴射する構成とする。このような構成であっても当該気体の吐出圧によりウエハＷと吸引抵抗板５の隙間内に現像液及びリンス液が浸入するのを抑制することができるので、上述の場合と同様の効果を得ることができる。更には、温度及び湿度が調整された乾燥空気又は乾燥窒素などの乾燥気体を噴射する構成とすれば、例えば毛細管現象により僅かなら隙間内にリンス液が浸入した場合であっても当該乾燥気体によりウエハＷの側周面を乾燥させることができる。更に、例えばバルブなどの切り替え手段により気体及びリンス液のいずれか一方を供給する構成としておき、リンス液を供給してウエハＷの側周面を洗浄した後、乾燥気体を供給して乾燥させるようにしてもよい。
【００３６】
更に本発明においては、吸引抵抗板５の分割部５Ａ〜５ＤをウエハＷに向かって前進させた後、後退させることでウエハＷとの間に所定の隙間を形成する構成に限られず、例えば図８に示すように、その内周面に例えば０．１〜１．０ｍｍの高さで内側に突出する突起部７を設けておき、分割部５Ａ〜５ＤをウエハＷに向かって前進させて突起部７の先端をウエハＷの外周面と当接させることにより、その高さの分においてウエハＷとの間に隙間を形成するようにしてもよい。この場合であっても上述の場合と同様の効果を得ることができる。
【００３７】
更に本発明においては、吸引抵抗板５は少なくともウエハＷの外周面と対向する内周面を有すれば図４記載のように分割する構成に限られず、例えば吸引抵抗板５の対角線により区画される部位に分割してもよく、例えば幅方向あるいは長さ方向に沿って帯状に分割してもよい。更には、吸引抵抗板５は４分割する構成に限られず、例えば図９に示すように、ウエハＷの直径の延長線により区画された２分割して分割部５Ａ，５Ｂを形成するようにしてもよく、あるいは３分割以上にしてもよい。このような場合であっても上述の場合と同様の効果を得ることができる。また更に、本発明においては、必ずしも吸引抵抗板５を分割しなくともよい。この場合であっても上述の例と同様の効果を得ることができる。
【００３８】
更に本発明においては、吸引抵抗板５は内側上方に傾斜した吸引口５４のみ設けた構成に限られず、例えば図１０に示すように、内側上方及び内側下方に傾斜した吸引口５４Ａ，５４Ｂを設けた構成であってもよい。この場合であっても上述の場合と同様の効果を得ることができ、更に本例によれば裏面洗浄部２３の吐出口２４からウエハＷに向かって吐出したリンス液がウエハＷと吸引抵抗板５との隙間に侵入しようとしても裏面側に向けられた吸引口５４Ｂから吸引することができるので、より確実にウエハＷの乾燥を行うことができる。また本発明においては、吸引抵抗体は板状の吸引抵抗板５に限られず、その表面が例えばウエハＷの表面に対し記述の位置関係に設定されたブロック体で構成してもよい。また更に本発明においては処理液は現像液に限られず、例えばウエハＷの表面に液層を形成して露光する液浸露光を行う前にレジストが塗布されたウエハＷの表面を浄液液例えば純水で洗浄し乾燥させる処理に本発明を適用することもできる。また処理する基板は半導体ウエハ以外の基板、例えばＬＣＤ基板、フォトマスク用レチクル基板であってもよい。
【００３９】
最後に本発明の基板処理装置の一つである上述の現像装置が組み込まれた塗布・現像装置の一例について図１１及び図１２を参照しながら簡単に説明する。図中Ｂ１は基板であるウエハＷが例えば１３枚密閉収納されたキャリアＣを搬入出するためのキャリア載置部であり、キャリアＣを複数個載置可能な載置部８０を備えた キャリアステーション８と、この キャリアステーション８から見て前方の壁面に設けられる開閉部８１と、開閉部８１を介してキャリアＣからウエハＷを取り出すための受け渡し手段Ａ１とが設けられている。
【００４０】
キャリア載置部Ｂ１の奥側には筐体８２にて周囲を囲まれる処理部Ｂ２が接続されており、この処理部Ｂ２には手前側から順に加熱・冷却系のユニットを多段化した棚ユニットＵ１，Ｕ２，Ｕ３と、後述する塗布・現像ユニットを含む各処理ユニット間のウエハＷの受け渡しを行うウエハ搬送手段である主搬送手段Ａ２，Ａ３とが交互に配列して設けられている。即ち、棚ユニットＵ１，Ｕ２，Ｕ３及び主搬送手段Ａ２、Ａ３はキャリア載置部Ｂ１側から見て前後一列に配列されると共に、各々の接続部位には図示しないウエハ搬送用の開口部が形成されており、ウエハＷは処理部Ｂ１内を一端側の棚ユニットＵ１から他端側の棚ユニットＵ３まで自由に移動できるようになっている。また主搬送手段Ａ２、Ａ３は、キャリア載置部Ｂ１から見て前後方向に配置される棚ユニットＵ１，Ｕ２，Ｕ３側の一面部と、後述する例えば右側の液処理ユニットＵ４，Ｕ５側の一面部と、左側の一面をなす背面部とで構成される区画壁８３により囲まれる空間内に置かれている。また図中８４、８５は各ユニットで用いられる処理液の温度調節装置や温湿度調節用のダクト等を備えた温湿度調節ユニットである。
【００４１】
液処理ユニットＵ４，Ｕ５は、例えば図１２に示すように塗布液（レジスト液）や現像液といった薬液供給用のスペースをなす収納部８６の上に、塗布ユニットＣＯＴ、上述の現像装置をユニット化した現像ユニットＤＥＶ及び反射防止膜形成ユニットＢＡＲＣ等を複数段例えば５段に積層した構成とされている。また既述の棚ユニットＵ１，Ｕ２，Ｕ３は、液処理ユニットＵ４，Ｕ５にて行われる処理の前処理及び後処理を行うための各種ユニットを複数段例えば１０段に積層した構成とされており、その組み合わせはウエハＷを加熱（ベーク）する加熱ユニット、ウエハＷを冷却する冷却ユニット等が含まれる。
【００４２】
処理部Ｂ２における棚ユニットＵ３の奥側には、例えば第１の搬送室８７及び第２の搬送室８８からなるインターフェイス部Ｂ３を介して露光部Ｂ４が接続されている。インターフェイス部Ｂ３の内部には処理部Ｂ２と露光部Ｂ４との間でウエハＷの受け渡しを行うための２つの受け渡し手段Ａ４、Ａ５の他に、棚ユニットＵ６及びバッファキャリアＣ０が設けられている。
【００４３】
この装置におけるウエハの流れについて一例を示すと、先ず外部からウエハＷの収納されたキャリアＣが載置台８０に載置されると、開閉部８１と共に キャリアＣの蓋体が外されて受け渡し手段ＡＲ１によりウエハＷが取り出される。そしてウエハＷは棚ユニットＵ１の一段をなす受け渡しユニット（図示せず）を介して主搬送手段Ａ２へと受け渡され、棚ユニットＵ１〜Ｕ３内の一の棚にて、塗布処理の前処理として例えば反射防止膜形成処理、冷却処理が行われ、しかる後、塗布ユニットにてレジスト膜が形成されると、ウエハＷは棚ユニットＵ１〜Ｕ３の一の棚をなす加熱ユニットで加熱（ベーク処理）され、更に冷却された後棚ユニットＵ３の受け渡しユニットを経由してインターフェイス部Ｂ３へと搬入される。このインターフェイス部Ｂ３においてウエハＷは例えば受け渡し手段Ａ４→棚ユニットＵ６→受け渡し手段Ａ５という経路で露光部Ｂ４へ搬送され、露光が行われる。露光後、ウエハＷは逆の経路で主搬送手段Ａ２まで搬送され、現像ユニットＤＥＶにて現像されることでレジストマスクが形成される。しかる後ウエハＷは載置台８０上の元のキャリアＣへと戻される。
【図面の簡単な説明】
【００４４】
【図１】本発明の実施の形態に係る現像装置を示す斜視図である。
【図２】上記現像装置の縦断面図である。
【図３】上記現像装置の現像液ノズルを示す説明図である。
【図４】上記現像装置の吸引抵抗板を示す平面図である。
【図５】上記現像装置の吸引抵抗板を示す縦断面図である。
【図６】上記現像装置を用いてウエハを現像する工程を示す説明図である。
【図７】ウエハ表面にあるリンス液を吸引する様子を示す説明図である。
【図８】吸引抵抗板の他の例を示す説明図である。
【図９】吸引抵抗板の他の例を示す説明図である。
【図１０】吸引抵抗板の他の例を示す説明図である。
【図１１】上記現像装置が組み込まれた塗布・現像装置を示す平面図である。
【図１２】上記塗布・現像装置の斜視図である。
【図１３】従来の現像工程を示す説明図である。
【図１４】従来のウエハ表面のリンス液を吸引する手法を示す説明図である。
【符号の説明】
【００４５】
Ｗ      ウエハ
２      バキュームチャック
３      現像液ノズル
３６    吸引ノズル
５      吸引抵抗板
５Ａ〜５Ｄ    分割部
５４    吸引口
【図１】
2005340381.tif 000003
【図２】
2005340381.tif 000004
【図３】
2005340381.tif 000005
【図４】
2005340381.tif 000006
【図５】
2005340381.tif 000007
【図６】
2005340381.tif 000008
【図７】
2005340381.tif 000009
【図８】
2005340381.tif 000010
【図９】
2005340381.tif 000011
【図１０】
2005340381.tif 000012
【図１１】
2005340381.tif 000013
【図１２】
2005340381.tif 000014
【図１３】
2005340381.tif 000015
【図１４】
2005340381.tif 000016